(57)【要約】【課題】講演中に講演者により提示されたコンテンツにアクセスするシステム及び方法が開示される。【解決手段】このシステム及び方法は、講演者が講演中に聴講者に対してプレゼンテーション資料を表示するためのプレゼンテーションモジュールを含んでいる。また、既に表示されたプレゼンテーション資料の表示画像を表示することのできる、選択モジュールも含まれている。選択モジュールを起動すると、聴講者はプレゼンテーション資料の特定の１つをプレゼンテーションモジュールで再表示するように選択することが可能となる。【選択図】図１Ａ
2011018312.tif 000002
【特許請求の範囲】
【請求項１】
講演中に講演者が提示したコンテンツにアクセスするシステムであって、
１つまたは複数のプロセッサと、
メモリと、
前記メモリに格納され、かつ前記１つまたは複数のプロセッサにより実行可能なソフトウェアモジュールと、
を備え、
前記ソフトウェアモジュールが、
前記講演者がプレゼンテーション資料を聴講者に対してディスプレイ装置に表示するために使用するプレゼンテーションモジュールと、
１人または複数の前記聴講者に対して既に提示された前記プレゼンテーション資料の表示画像をディスプレイ装置に表示し、かつリモートコントロールを利用して、前記聴講者に、前記プレゼンテーション資料の前記表示画像から前記プレゼンテーション資料の特定の１つを前記プレゼンテーションモジュールによって再表示するために選択させるように構成された選択モジュールと、
を含むことを特徴とするシステム。
【請求項２】
前記聴講者は前記講演者からは遠隔の場所にいて、かつネットワークで接続されていることを特徴とする請求項１に記載のシステム。
【請求項３】
前記プレゼンテーション資料は、前記選択モジュールに伝送された提示順序を有し、前記提示順序は前記講演者が前記聴講者に提示するスライドの順番に対応していることを特徴とする請求項１に記載のシステム。
【請求項４】
前記聴講者によって再表示のために選択される、前記プレゼンテーション資料の内の前記特定の１つは、前記プレゼンテーション資料の前記表示画像から選択され、
前記選択モジュールが、前記プレゼンテーション資料の内の前記特定の１つの識別情報を前記プレゼンテーションモジュールと通信することを特徴とする、請求項３に記載のシステム。
【請求項５】
前記プレゼンテーション資料の前記表示画像は、前記プレゼンテーション表示上にオーバーレイとして表示されることを特徴とする、請求項１に記載のシステム。
【請求項６】
前記プレゼンテーション資料の前記表示画像は、前記プレゼンテーション表示のディスプレイ装置とは異なるディスプレイ装置上に表示されることを特徴とする、請求項１に記載のシステム。
【請求項７】
前記選択モジュールは、基調を成すプレゼンテーションパッケージとは独立した選択機能を備えることを特徴とする、請求項１に記載のシステム。
【請求項８】
前記プレゼンテーションモジュールから前記選択モジュールへの前記制御の受け渡しは、前記プレゼンテーション資料の１つまたは複数の様相に応答して自動化されており、前記様相は指定された言語要素からなることを特徴とする、請求項１に記載のシステム。
【請求項９】
前記プレゼンテーション資料はスライドで構成され、前記プレゼンテーション資料の前記表示画像は前記スライドのサムネイル画像で構成されており、個々のプレゼンテーション資料を表すそれぞれの前記サムネイル画像は、前記スライドを提示中、あるいは提示後に前記選択モジュールへアップロードされることを特徴とする、請求項１に記載のシステム。
【請求項１０】
講演中に講演者によって提示されたコンテンツにアクセスする、コンピュータに実装された方法であって、前記方法が、
聴講者にプレゼンテーション資料をディスプレイ装置に表示するステップと、
既に聴講者に提示された前記プレゼンテーション資料の表示画像をディスプレイ装置に表示するステップと、
リモートコントロールを利用して、前記聴講者に、前記プレゼンテーション資料の前記表示画像表示から前記プレゼンテーション資料の特定の１つを前記プレゼンテーションモジュールによって再表示するために選択させるステップと、
前記選択に応答して、既に提示された前記プレゼンテーション資料の前記特定の１つをディスプレイ装置に表示するステップと、
を含むことを特徴とする方法。
【請求項１１】
前記表示画像は、前記プレゼンテーション資料を表示しているディスプレイ装置上にオーバーレイとして表示されることを特徴とする、請求項１０に記載の方法。
【請求項１２】
前記プレゼンテーション資料の前記表示画像から聴講者が選択することを可能とするステップが、聴講者が基調を成すプレゼンテーションパッケージとは独立に選択することを可能ならしめるステップを含むことを特徴とする、請求項１０に記載の方法。
【請求項１３】
前記プレゼンテーション資料の表示画像を表示するステップが、講演者からは遠隔の場所において前記プレゼンテーション資料の前記表示画像を表示するステップを含むことを特徴とする、請求項１０に記載の方法。
【請求項１４】
前記プレゼンテーション資料が前記講演者によって前記聴講者へ提示される順番に応じて、前記プレゼンテーション資料を表示するステップを更に含むことを特徴とする。請求項１０に記載の方法。
【請求項１５】
前記プレゼンテーション資料の特定の１つを前記表示画像から選択することを聴講者に可能ならしめる操作を、前記講演者が制御可能とするステップを更に含むことを特徴とする、請求項１０に記載の方法。
【請求項１６】
前記プレゼンテーション資料の１つまたは複数の様相に応答して、聴講者が既に提示されたプレゼンテーション資料から選択することを可能とする制御を自動化するステップを更に含み、ここで、前記様相は指定された言語要素を含むことを特徴とする、請求項１０に記載の方法。
【請求項１７】
コンピュータを、
聴講者にプレゼンテーション資料をディスプレイ装置に表示するステップ、
既に聴講者に提示された前記プレゼンテーション資料の表示画像をディスプレイ装置に表示するステップ、
リモートコントロールを利用して、前記聴講者に、前記プレゼンテーション資料の前記表示画像表示から前記プレゼンテーション資料の特定の１つを前記プレゼンテーションモジュールによって再表示するために選択させるステップ、及び
前記選択に応答して、既に提示された前記プレゼンテーション資料の前記特定の１つをディスプレイ装置に表示するステップ
を実行させるためのプログラム。
【請求項１８】
前記表示画像は、前記プレゼンテーション資料を表示している前記同一のディスプレイ装置上にオーバーレイとして表示されることを特徴とする、請求項１７に記載のプログラム。
【請求項１９】
前記表示画像は、前記プレゼンテーション資料を表示している前記ディスプレイ装置とは別のディスプレイ装置上に表示されることを特徴とする、請求項１７に記載のプログラム。
【請求項２０】
基調を成すプレゼンテーションパッケージとは独立に聴講者に選択能力を付与するステップを更に実行させることを特徴とする、請求項１７に記載のプログラム。
【請求項２１】
前記プレゼンテーション資料の前記表示画像を表示するステップが、ウェブブラウザを介してパーソナルデバイス上で前記表示画像を表示するステップを含むことを特徴とする、請求項１７に記載のプログラム。
【請求項２２】
前記プレゼンテーション資料が前記講演者によって前記聴講者へ提示される順番に応じて、前記プレゼンテーション資料を表示するステップを更に実行させることを特徴とする、請求項１７に記載のプログラム。
【請求項２３】
前記プレゼンテーション資料の特定の１つを前記表示画像から選択することを聴講者に可能ならしめる操作を、前記講演者が制御可能とするステップを更に実行させることを特徴とする、請求項１７に記載のプログラム。
【請求項２４】
前記プレゼンテーション資料の１つまたは複数の様相に応答して、聴講者が既に提示されたプレゼンテーション資料から選択することを可能とする制御を自動化するステップを更に実行させ、ここで、前記様相は指定された言語要素を含むことを特徴とする、請求項１７に記載のプログラム。
【発明の詳細な説明】
【技術分野】
【０００１】
本発明は聴講者が応答するシステムに関し、より具体的には、講演あるいは会議において、提示された資料の中のコンテンツに聴講者がアクセスして再表示することを可能とするシステムに関する。
【背景技術】
【０００２】
講演の発表の後の質疑応答（Ｑ＆Ａ）のセッションでは、講演者は、聴講者の質問のために特定のスライドを再表示しなければならないことがしばしばある。聴講者にとって、講演者に所望のスライドの再表示を伝えることは、時間を食い、かつわずらわしいことがある。言葉の問題、参照のあいまいさ、およびスライドの前進待ち時間、等のすべてが所望のスライドの識別に対する誤差要因として作用する。例えば、講演や会議において、聴講者が講演者に種々の質問をしようとする場合、提示されたスライドの記憶に頼ることが一般的である。別のケースで、スライドの提示中に聴講者が質問をする場合、講演者は問題となっているスライドを既に提示したスライドの中から探し出し、選択して再表示しなければならない。この場合通常、講演者は既に提示したスライドを１つずつ逆送りして、そのスライドを探すことになる。質疑応答が終わると、講演者は再びスライドを１つずつ元のスライドまで戻して、講演に戻る。このように講演の途中で質問が行われる場合には、講演者にとっても質問者にとっても時間がかかり、厄介でわずらわしい経験となることがある。
【先行技術文献】
【非特許文献】
【０００３】
【非特許文献１】Ｂａｒｋｅｒ，Ｐ．，“Ｃｏｍｐｕｔｅｒ  Ｃｏｎｔｒｏｌ  ｏｆ  ａ  Ｒａｎｄｏｍ  Ａｃｃｅｓｓ  Ｓｌｉｄｅ  Ｐｒｏｊｅｃｔｏｒ．”，Ｍｉｃｒｏｐｒｏｃｅｓｓｉｎｇ  ａｎｄ  Ｍｉｃｒｏｐｒｏｇｒａｍｍｉｎｇ，Ｖ．１０，ｐｐ．２６１−２７１，１９８２．
【発明の概要】
【発明が解決しようとする課題】
【０００４】
従って、講演の中断時間を最小にし、かつ、講演者及びほかの聴講者の時間を浪費しないで、内容に関する質問あるいは的確な考えを述べることができるようにするためには、再表示する講演資料を聴講者が選択することのできるシステム及び方法が必要とされる。
【課題を解決するための手段】
【０００５】
ある実施形態によれば、講演中に講演者によって提示されたコンテンツにアクセスできるシステムが提供される。このシステムは１つまたは複数のプロセッサと、メモリと、メモリ中に格納され、１つまたは複数のプロセッサで実行可能なソフトウェアモジュールと、を備えている。ソフトウェアモジュールには、講演者が聴講者に対してプレゼンテーション資料を提示するために使用されるプレゼンテーションモジュールが含まれる。また、１人または複数の聴講者に対して、既に提示されたプレゼンテーション資料の表示画像をディスプレイ装置に表示するように構成された選択モジュールも含まれる。選択モジュールは、プレゼンテーションモジュールによって再表示するために、リモートコントロールを利用して、聴講者に、プレゼンテーション資料の表示画像からプレゼンテーション資料の特定の１つを選択させる。
【０００６】
ある実施形態によれば、講演中に講演者によって提示されたコンテンツをアクセスできる方法が説明される。プレゼンテーション資料及びプレゼンテーション資料の表示画像が聴講者に表示される。この方法には、既に提示されたプレゼンテーション資料の特定の１つを聴講者が表示画像の中から選択することが可能となるステップが含まれ、その選択に応答して、既に提示されたプレゼンテーション資料の内の選択された特定の１つが表示される。
【０００７】
別の実施形態によれば、コンピュータ可読記憶媒体に、１つまたは複数のプロセッサにより実行される１つまたは複数のプログラムが含まれている。プログラムは、プレゼンテーション資料および既に提示されたプレゼンテーション資料の表示画像を聴講者に表示するステップをコンピュータに実行させる。また、リモートコントロールを利用して、聴講者に、プレゼンテーション資料の表示画像からプレゼンテーション資料の特定の１つを選択させるステップをコンピュータに実行させる。このプログラムは、また、選択に応答して、既に提示されたプレゼンテーション資料の中の特定の１つを表示可能とするステップをコンピュータに実行させる。
【図面の簡単な説明】
【０００８】
【図１Ａ】一実施形態によるプレゼンテーション管理システムのソフトウェアモジュールのブロック図である。
【図１Ｂ】ある実施形態による、表示リスト１２２および疑似コンテンツ１３４のデータ構造図である。
【図１Ｃ】図１Ａのプレゼンテーションモジュール１１２を、ある実施形態によりより詳細に示したブロック図である。
【図２】ある実施形態によるプレゼンテーション管理システムのソフトウェアモジュールのブロック図である。
【図３】ある実施形態によるディスプレイ上のプレゼンテーション資料の構成を示す図である。
【図４】別の実施形態によるディスプレイ上のプレゼンテーション資料の構成を示す図である。
【図５】ある実施形態による携帯型ハンドヘルド装置のディスプレイ上のプレゼンテーション資料の構成を示す図である。
【図６Ａ】ある実施形態によるプレゼンテーション管理システムの部品及びその接続を示す図である。
【図６Ｂ】ある実施形態によるプレゼンテーション管理システムの部品及びその接続を示す図である。
【図６Ｃ】ある実施形態によるプレゼンテーション管理システムの部品及びその接続を示す図である。
【図７】ある実施形態によるコンピュータシステムのブロック図である。
【図８】聴講者がプレゼンテーション資料の中から選択することを可能とする、ある実施形態による方法を示すフロー図である。
【発明を実施するための形態】
【０００９】
本発明の実施形態を十分に理解するために以下に詳細を説明する。しかし、これらの特定の詳細なしでもさまざまな実施形態が実行され得ることは当業者には明らかであろう。更に、以下で述べる本発明の特定の実施形態は例として提供されるものであって、本発明の範囲をこれらの特定な実施形態に限定するものではない。他の例では、本発明を不必要に不明瞭にすることを防ぐために、周知のシステムの特徴、装置およびソフトウェアの操作は詳細には示されていない。本題を次に詳細に説明する。
【００１０】
図１Ａはある実施形態によるプレゼンテーション管理システム１００のソフトウェアモジュールのブロック図である。ソフトウェアモジュールはプレゼンテーションモジュール１１２と選別モジュール１１４とを含み、これらは（図１Ａに示すように）同一の装置１１５上で実行されてもよいし、あるいは別々の相互に接続された装置上で実行されてもよい。プレゼンテーションモジュール１１２は、入力装置１０２、あるいはその代わりにプレゼンテーションアプリケーション１０６を介して講演者が発したプレゼンテーション命令１１６に応答して、（格納されたコンテンツ１３０からの）コンテンツ１３２のプレゼンテーションを、１つまたは複数のディスプレイ１１８上に制御する。プレゼンテーションモジュール１１２はまた、制御命令１２４と、表示リスト１２２や疑似コンテンツ１３４を含むプレゼンテーションに関する情報とを用いて選択モジュール１１４の操作も制御する。ある実施形態においては表示リスト１２２や疑似コンテンツ１３４は、プレゼンテーションモジュール１１２によって、表示されたコンテンツ１３２から生成される。通常のスライドのプレゼンテーション用の疑似コンテンツの例としては、講演中の個別のスライドのサムネイル画像及びスライドタイトルが含まれるが、これに限定されるものではない。
【００１１】
選択モジュール１１４は制御命令１２４に従い、再表示のために聴講者が表示コンテンツ１３２中の特定項目を選択することを可能とする。ある実施形態においては、聴講者がユーザ入力装置１０３を使って再表示するコンテンツを選択すると、ユーザ入力装置１０３が選択モジュール１１４に対して対応する聴講者命令１１７を出す。図示した実施形態においては、聴講者が表示済みのコンテンツ１３２に由来する一連の表示された疑似コンテンツ１３４（サムネイル画像１２６など）の中から対応する項目を選ぶことによって、再表示したいコンテンツ項目１３２を選択する。
【００１２】
疑似コンテンツ１３４は聴講者に対してディスプレイ１１８上に表示されてもよいし、別の第２のディスプレイ１２０上に表示されてもよい。疑似コンテンツ１３４のそれぞれの項目は表示リスト１２２の記載項目に関連付けられており、これはコンテンツ１３２の対応項目が提示される位置を示している。聴講者が疑似コンテンツ１３４のある特定項目を選択すると、選択モジュール１１４がプレゼンテーションモジュール１１２に対して選択命令１２８を出し、選択された疑似コンテンツ１３４に対応する表示済みコンテンツ１３２の項目の表示リスト上の位置を伝える。このようにして、プレゼンテーションモジュール１１２は、聴講者が指定した表示済みコンテンツの項目を的確に再表示することが可能となる。実施形態のあるものでは、図６に関連して更に説明するように、ディスプレイ１１８として、講演者と同じ室内で聴講者が見ることのできる１つまたは複数の大型スクリーンも含まれる。ディスプレイ１１８としては、個別にネットワークでつながれた装置の１つまたは複数のディスプレイスクリーンも含まれる。それを利用して１人または複数の聴講者が、コンテンツ１３２のプレゼンテーションおよび／または聴講者の選択によるその再表示項目を、講演が行われている当該の場所あるいはそこからは遠隔の場所において閲覧することもできる。
【００１３】
ある実施形態では、表示済みコンテンツ１３２はプレゼンテーションモジュール１１２にアクセス可能な格納コンテンツ１３０から取り出せる。表示済みコンテンツ１３２は格納コンテンツ１３０と同一であるかも知れないし、格納コンテンツ１３０の一部分であるかも知れない（講演者がコンテンツのあるものを提示しなかった場合など）。および／または格納コンテンツとは別の構成（講演者がコンテンツの提示順序を変えた場合など）であるかも知れない。プレゼンテーションコンテンツ１３０、１３２は、スライド、アイコン、画像ファイル、文書、及びデジタルメディアを含む、ただしこれに限定されない種々のタイプのものであってよい。また、当該場所におけるローカルメモリ中に格納されてもよいし、システム１００の外部に格納されてもよい。
【００１４】
既に述べたように、ある実施形態においては講演者がユーザ入力装置１０２を利用して表示済みのコンテンツ１３２の提示を制御し、所望によっては、プレゼンテーションアプリケーション１０６からのコンテンツも制御し、対応する提示命令１１６をプレゼンテーションモジュール１１２に出す。同様に、講演者はプレゼンテーションコンテンツ１３０、および／または表示済みコンテンツ１３２内での標準的なナビゲーション操作を制御、および／または実行することができる。ナビゲーション操作の例としては、表示済みコンテンツ１３２や格納コンテンツ１３０内で前後にスキップしたり、コンテンツ項目１３０、１３２の次あるいは前の項目に移動したり、自動プレゼンテーションをしている場合に、コンテンツ１３２の表示を一時的に止めておいたりすることが含まれる。また、講演者はユーザ入力装置１０２、あるいはプレゼンテーションアプリケーション１０６を利用してプレゼンテーションモジュール１１２に命令を伝えて、選択モジュール１１４のある操作を有効化したり無効化したりすることもできる。例えば、講演者がユーザ入力装置１０２を介してプレゼンテーションモジュール１１２に指示し、既提示コンテンツ１３２の選択、再表示のための聴講者命令１１７を選択モジュール１１４が受信可能とすることができる。講演者は一般的にはこれを（講演が終わった時、あるいはセクションの切れ目、などの）自分で選んだ１回あるいは複数回のタイミングで行う。
【００１５】
プレゼンテーション命令１１６を介して講演者が手動で制御する代わりに、プレゼンテーションモジュール１１２は、講演中のある点あるいはタイミングで選択モジュール１１４を自動的に起動させるように構成されていてもよい。そのような実施形態においては、システム１００が講演者によって手動で制御されるのではなく、講演の間自律的に動作し、ある時間間隔の後に、あるいはプレゼンテーションコンテンツ１３０、１３２の中のある指標（ｉｎｄｉｃａｔｏｒｓ）に応答して、プレゼンテーションモジュール１１２が聴講者からの入力を受信するように選択モジュール１１４を起動する。例えばある実施形態においては、コンテンツ１３０、１３２における指定された言語要素の出現に応答して、プレゼンテーションモジュール１１２が、選択モジュール１１４に聴講者入力の受信を可能ならしめるような構成となっている。指定の言語要素としては例えば、“質問は？”、“質問”、“終り”、“質疑応答”、“ディスカッション”などが含まれる。ただしこれに限定されるものではない。
【００１６】
ある実施形態においては、プレゼンテーションモジュール１１２はプレゼンテーションのコンテンツ１３２が表示される毎にそれを追跡し、表示リスト１２２や疑似コンテンツ１３４を含む、講演に関して生成する情報を（プレゼンテーションのコンテンツ１３０が表示される度に）リアルタイムで選択モジュール１１４に更新する。表示済みのコンテンツ１３２の表示画像である、疑似コンテンツ１３４は選択モジュール１１４に送信されて、講演の間、聴講者に表示される。疑似コンテンツ１３４は（例えばディスプレイ１１８、１２０の１つに）分離されて表示され、コンテンツ項目１３０のどれが既に表示されたかを示す。疑似コンテンツ１３４は任意の数の形態で表示されてもよい。例えば、コンテンツ１３０、１３２がプレゼンテーションのスライドとして提供されるある実施形態においては、プレゼンテーションモジュール１１２が個々のスライドのサムネイルの形で疑似コンテンツ１３４を生成する。上で述べたように、プレゼンテーションモジュール１１２はまた、付随する表示リスト１２２も生成する。これは、スライド１３０が提示済みのコンテンツ１３２として表示される場合にスライド１３０の提示順を示すものである。
【００１７】
疑似コンテンツ１３４の表示は実施形態のあるものではプレゼンテーションモジュール１１２によって制御され、また別の実施形態においては選択モジュール１１４によって制御される。疑似コンテンツ１３４はコンテンツ１３２と同じディスプレイ装置１１８に表示されてもよいし、第２のディスプレイ１２０に表示されてもよい。プレゼンテーションモジュール１１２は、疑似コンテンツ１３４が生成されるとすぐにディスプレイ１１８に疑似コンテンツ１３４を表示してもよい。あるいはそうではなく、選択モジュール１１４が、プレゼンテーションモジュール１１２からの更新情報を受信すると第２のディスプレイ装置１２０の上に疑似コンテンツ１３４を表示するように構成されていてもよい。選択モジュール１１４は、プレゼンテーションのコンテンツ１３０、１３２の個々の項目が聴講者に対して表示されると、もしくはコンテンツ１３０、１３２が表示され終えた直後に、表示された疑似コンテンツ１３４を更新することができる。
【００１８】
選択モジュール１１４が起動されると、ユーザ入力装置１０３が動作可能とされ、聴講者は表示された疑似コンテンツ１３４から選択することが可能となる。聴講者は入力装置１０３を使用して、選択を示す入力命令１１７を伝送する。聴講者が表示された疑似コンテンツ１３４から項目を選択すると、選択モジュール１１４が聴講者の選択を示す選択命令１２８をプレゼンテーションモジュール１１２に伝送する。これに応答して、プレゼンテーションモジュール１１２が選択されたコンテンツ項目１３０、１３２を（１つまたは複数の）ディスプレイ装置１１８に再表示する。
【００１９】
入力装置１０２、１０３は、任意のデスクトップコンピュータ、ラップトップコンピュータ、あるいは、プレゼンテーションモジュール１１２あるいは選択モジュール１１４へのそれぞれの命令１１６あるいは１１７を発行するように構成された（リモートコントロール装置、ハンドヘルドコンピュータ（ｈａｎｄｈｅｌｄ  ｃｏｍｐｕｔｅｒ）、ＰＤＡ、スマートフォンなどのような）その他の任意の装置であってよい。ある実施形態においては、入力装置１０２、１０３は、プレゼンテーションモジュール１１２、および／または選択モジュール１１４を実行する１つまたは複数のコンピュータからは分離されていてもよいし、あるいは、いずれかの１つが１つまたは複数のコンピュータの１つのコンポーネントであってもよい。
【００２０】
選択モジュール１１４は、プレゼンテーションモジュール１１２を含み、基調を成すプレゼンテーションパッケージ（ｕｎｄｅｒｌｙｉｎｇ  ｐｒｅｓｅｎｔａｔｉｏｎ  ｐａｃｋａｇｅ）の一部であってもよい。プレゼンテーションパッケージとしては、パワーポイント、キーノート、インプレス、グーグルプレゼンテーション、及びその他のプレゼンテーション用のアプリケーションを含んでもよい。ただし、それに限定されるものではない。選択モジュール１１４は、または、プレゼンテーションモジュール１１２とは分離して実行されてもよい。また基調のプレゼンテーションパッケージからは独立した機能を有してもよい。例えば、選択モジュール１１４は、クライアントコンピュータ上のウェブブラウザなどのような、クライアントアプリケーションでアクセスされてもよい。携帯型のパーソナルデバイスにウェブブラウザが実装されて閲覧されてもよい。このように、選択モジュール１１４は完全に分離されたパッケージとして、あるいはラップトップやＰＤＡなどでアクセスできる遠隔地（例えばウェブサービスなどのような）から、実行されてもよい。選択モジュール１１４やプレゼンテーションモジュール１１２のさまざまな部品は１つまたは複数の装置からなっていてもよく、それらの実施形態は別途更に詳細を述べる。
【００２１】
次に、図１Ａの表示リスト１２２、コンテンツ１３０および疑似コンテンツ１３４の更なる詳細を、ある実施形態によるそれらの項目のデータ構造を示す図１Ｂを参照して述べる。表示リスト１２２は格納された項目１６１−１〜１６１−ｎの識別子１７１−１〜１７１−ｎのリストを含んでおり、これらの項目は、これらの項目の提示順番に従って表示済みコンテンツ１３２内に編成されている。ある実施形態においては、格納されたコンテンツ１３０の識別子１７１は、格納コンテンツ１３０のアドレスか項目名であり、あるいは、プレゼンテーションモジュール１１２が再表示のために格納コンテンツ１３０の特定の項目にアクセスするのに使用できるようなその他のリンクである。疑似コンテンツ項目１８１−１〜１８１−ｎのそれぞれは、対応する表示済みコンテンツ項目１３２の表示画像である。疑似コンテンツ項目１８１−１〜１８１−ｎは、特定の順番で格納される必要はない。しかし疑似コンテンツ項目１８１−１〜１８１−ｎのそれぞれは、それらが派生した対応する格納コンテンツ項目１６１−１〜１６１−ｎの識別子１７１−１〜１７１−ｎに関連している。こうして、ユーザが疑似コンテンツ１３４の項目を選択することに応答して、選択モジュール１１４が対応する格納コンテンツ１６１の項目の適切な指標（ｉｎｄｅｘ）１７１を与えることができ、プレゼンテーションモジュール１１２がそのコンテンツを再表示することを可能とする。
【００２２】
図１Ｃはある実施形態によるプレゼンテーションモジュール１１２の構成を示す。ある実施形態では、図１Ａに示されるように、プレゼンテーションモジュール１１２が、プレゼンテーションコンテンツ１３０およびプレゼンテーション管理システム１００の関連タスクの表示と実行を管理する。プレゼンテーションモジュール１１２が入力命令１１６に応答してディスプレイ装置１１８上にコンテンツを表示し、提示済みのコンテンツ１３２の表示リスト１２２及び疑似コンテンツ１３４を生成する。これにより選択モジュール１１４の操作が可能となる。プレゼンテーションモジュール１１２はまた、表示リスト１２２及び疑似コンテンツ１３４を更新し、プレゼンテーションコンテンツ１３２の更新を選択モジュール１１４に通知する。こうして、プレゼンテーションモジュール１１２が、その時点での表示済みコンテンツ１３２の記録を提供し、これは、聴講者が提示済みのコンテンツ１３２の正確な表示画像から再ディスプレイのためのコンテンツ項目を選択できるようにリアルタイムで行われる。ただしその記録の順序はプレゼンテーションのコンテンツ１３０の実際の順序に対応してないかもしれない。
【００２３】
図２は別の実施形態によるソフトウェアモジュールを有するプレゼンテーション管理システム２００のブロック図である。図２は、図１Ａに示したいくつかの部品を含んでいる。それらは図１Ａと同じ参照番号を有している。簡潔にするために、同一の機能は繰り返しては説明しない。図２のソフトウェアモジュールはプレゼンテーションモジュール１１２、選択モジュール１１４、およびシステム２００の中の別のモジュールの異なる部品との通信制御を行うアプリケーションマネージャ２３２を含んでいる。図１と同様に、それぞれのモジュール１１２、１１４、２３２は別々の装置によって実行されてもよいし単一の装置によって実行されてもよい。アプリケーションマネージャ２３２はプレゼンテーションモジュール１１２と選択モジュール１１４（および表示されていない他のモジュール）との間のインタフェースとして作用するように構成されている。アプリケーションマネージャ２３２はこれらのモジュール間を整理するための制御命令やデータ命令を送受信する。例えば、アプリケーションマネージャ２３２がプレゼンテーションモジュール１１２及び選択モジュール１１４からの命令１２４、１２８を受信し、それに対して、受信した命令１２４、１２８に応答するそれぞれのモジュールへ命令を与えるように構成されている。
【００２４】
ある実施形態においては、プレゼンテーションモジュール１１２が制御命令２２４（およびコンテンツ１３２）を送信して、聴講者に提示中のコンテンツ１３２を表示するようにアプリケーションマネージャ２３２に命令する。それに応えて、アプリケーションマネージャ２３２も、新しいコンテンツが提示される（例えば、リスト１２２やサムネイル１２６などを更新する）度に選択モジュール１１４に更新および通知のための命令２５２を送信するように構成されており、その結果、選択モジュール１１４が提示済みのコンテンツ１３２の最新のリストを追跡する。従って、表示リスト１２２及びサムネイル１２６の提示順は、講演者が聴講者に提示するコンテンツ１３２の順になっている。
【００２５】
ある実施形態では、プレゼンテーションモジュール１１２が制御命令２２４をアプリケーションマネージャ２３２に送信し、選択モジュール１１４を起動して聴講者が選択、再表示のためにコンテンツ１３２にアクセスできるようにする。この制御命令２２４に応答してアプリケーションマネージャ２３２は対応する制御命令２５２を送信し、選択モジュール１１４を起動する。制御命令２２４、２５２は、命令２２４、２５２がアプリケーションマネージャ２３２によって整理されることを除けば、図１Ａ、１Ｃの制御命令１２４と同様の詳細を含むことは理解されるであろう。選択モジュール１１４が有効化されると、聴講者が入力装置１０３を利用して、提示されている疑似コンテンツ１３４（例えばサムネイル１２６やスライドタイトルのリスト（表示せず））の中からコンテンツを選択できるようになる。聴講者が（ユーザ装置１０３から入力命令１１７を伝送することによって）疑似コンテンツ１３４から項目を選択すると、選択モジュール１１４は選択命令１２８をアプリケーションマネージャ２３２へ伝送する。それに応えて、アプリケーションマネージャ２３２がプレゼンテーションモジュール１１２へ制御命令２４４によって指示された選択を通知する。そしてプレゼンテーションモジュール１１２が選択されたコンテンツ項目を装置１１８上に表示する。
【００２６】
選択自由の実施形態において、ユーザ入力装置１０２、１０３は、それぞれモジュール１１２、１１４へではなく、アプリケーションマネージャ２３２と直接通信できるように構成されている。そのような実施形態においては、講演者、あるいは聴講者からの命令１１６、１１７はアプリケーションマネージャ２３２によって受信され、それに応えてアプリケーションマネージャ２３２がそれぞれのモジュール１１２、１１４へ命令２４４、２５２を適宜実行する。従ってそのような実施形態においては、アプリケーションマネージャ２３２がシステム２００の種々のモジュール及び装置間のすべての通信を仲介し、全体のプレゼンテーション活動を総合的に調整する。
【００２７】
図３は、実施形態によるディスプレイコンソール３０２上のプレゼンテーション資料の構成を示す図である。ディスプレイコンソール３０２は２つの表示ウィンドウ３０４、３０６を持っている。表示ウィンドウ３０４は、例えばプレゼンテーションスライド１０、等のような、講演者によって現在表示されているコンテンツを表示する。プレゼンテーションコンテンツ１３０、１３２はメモリカードやラップトップコンピュータ、あるいはサーバなどの別の記憶装置に格納されたメモリ３３６に格納されてもよい。例えば、現在表示されているスライド１０は、矢印３３４で示された、メモリ３３６中に格納されたスライド１０に対応している。
【００２８】
表示ウィンドウ３０６は、講演中にウィンドウ３０４に表示されたコンテンツの表示画像を表示し、閲覧者はそこから再ディスプレイするスライドを選択する。例えば、表示ウィンドウ３０６は、既に提示されたすべてのスライドを表す一群のサムネイル画像スライド３０８を表示し、かつ現在表示されているスライド１０のサムネイルスライド３１６も含む。表示ウィンドウは聴講者による選択が可能となるスライド３０８を再表示する。ある実施形態において、プレゼンテーション資料の提示順序は講演者がプレゼンテーションモジュール１１２でカスタマイズする。従って、サムネイル３０８により表示されているプレゼンテーション資料の表示順序は、メモリ３３６に格納されているプレゼンテーション資料の順序とは異なるかもしれない。例えば、サムネイル３０８では、スライド８のサムネイル３１４の次に、スライド８の後に提示されたスライド１０のサムネイル３１６が来ている。このように、サムネイル３０８はスライドが提示される順番に従って選択モジュール１１４にアップロードされ、この順序は必ずしもメモリ３３６に格納されている順序ではない。サムネイル３０８もまた、個々のスライドが表示されている間に、あるいはその直後にアップロードされる。
【００２９】
図４は別の実施形態によるディスプレイ４０２上のプレゼンテーション資料の構成を示す図である。ある実施形態では、ディスプレイ４０２は、提示スライド４０６のような、プレゼンテーション資料を示す。しかし、選択モジュール１１４が起動されると、サムネイル４１０のような既に提示済みの資料の表示画像が同じディスプレイ４０２上にオーバレイとして示される。ある実施形態では聴講者はすべてのサムネイル４１０を介して操作し、再表示すべきものを選択できる。図３のように、サムネイル４１０はスライドの提示順に従って表示され、最後のサムネイル４１６はその時点で上の画面に表示されているスライド４０６に対応している。
【００３０】
図５は別の実施形態による携帯型ハンドヘルド（ｈａｎｄｈｅｌｄ）装置５２０のディスプレイ５２２上のプレゼンテーション資料の構成を示す図である。実施形態によるとプレゼンテーションモジュール１１２は、装置５２０のようなパーソナルハンドヘルド（ｐｅｒｓｏｎａｌ  ｈａｎｄｈｅｌｄ）装置へ提示済資料の疑似コンテンツ１３４を提供するように構成されていてもよい。こうして聴講者は講演者からは遠隔の場所にいることができる。ある実施形態では、選択モジュール１１４がネットワークコンピュータで操作され、（サムネイルスライド５０８などのような）疑似コンテンツ１３４がブラウザを介してウェブページ上に表示されてもよい。
【００３１】
ある実施形態では、疑似コンテンツ１３４は携帯装置のスクリーン５２２に表示されてもよい。前述したように疑似コンテンツ１３４は、サムネイルスライド５０８や、携帯装置のスクリーン５２２上に表示可能な他の任意のコンテンツ形態として表示されてよい。携帯装置はネットワーク接続などによりリモート接続されていてもよい。ある実施形態では、選択モジュール１１４が起動されている場合、聴講者は表示されたサムネイル５０８からコンテンツを選択することができる。他の実施形態と同様に、サムネイルスライド５０８は提示順に従って表示される。
【００３２】
図６Ａ〜６Ｃはある実施形態による、さまざまなプレゼンテーション管理システムの部品及びその接続を示している。実施形態のあるものでは図６Ａのように、単一のディスプレイ装置６４０を利用してプレゼンテーションコンテンツを表示するように、入力装置６３７がディスプレイ制御部品６３５に命令する。入力装置６３７はディスプレイコントローラ６３５を駆動できる任意の装置であってよく、例えばＰＣコンピュータ、ラップトップ、ＰＤＡ等が含まれるが、これに限定されるものではない。ある実施形態では入力装置６３７は、図１Ａおよび図２に関して既に説明したものと同一の装置上にプレゼンテーションモジュール１１２及び選択モジュール１１４、および／またはアプリケーションモジュール２３２を含んでいる。ある実施形態では、入力装置６３７は、プレゼンテーションモジュール１１２、選択モジュール１１４、および／またはアプリケーションモジュール２３２を別々の装置上に有する複数の装置で構成されていてもよい。ある実施形態では、複数の入力装置、すなわち入力装置１０２、１０３が入力装置６３７に接続されていて、入力装置６３７は、ディスプレイコントローラ６３５を駆動する例えばＰＣコンピュータやラップトップのような単一装置であってもよい。ある実施形態では入力装置６３７とディスプレイコントローラ６３５は同一の装置上にあり、別の実施形態では入力装置６３７とディスプレイコントローラ６３５は異なる装置上にある。ディスプレイコントローラ６３５は、入力装置６３７から命令を受信して、コンテンツ１３２及び疑似コンテンツ１３４を、ディスプレイ装置６４０を利用して聴講者に表示する。ディスプレイ装置６４０はプレゼンテーション資料を聴講者に表示するのに用いられる任意の装置であってよく、液晶ディスプレイ（“ＬＣＤ”）プロジェクタ、オーバヘッドプロジェクタ、ビデオディスプレイ装置などが含まれるが、これに限定されるものではない。
【００３３】
図６Ｂは別の実施形態による、プレゼンテーション管理システムの部品及びその接続を示している。図６Ｂは図６Ａと同様の部品を一部含んでいるが、図６Ｂでは第２のディスプレイ制御部品６３９により制御される第２のディスプレイ装置６４５と室内制御部品６１５とを含んでいる点が異なる。ディスプレイ制御部品６３５、６３９は室内制御部品６１５に接続されている。ある実施形態では室内制御部品６１５が、図１Ａのプレゼンテーションモジュール１１２及び選択モジュール１１４とを含む。別の実施形態では、ディスプレイ制御部品６３５、６３９がプレゼンテーションモジュール１１２及び選択モジュール１１４とを含み、室内制御部品６１５が図２のアプリケーションマネージャ２３２を含む。更に別の実施形態では、室内制御モジュール６１５、プレゼンテーションモジュール１１２、選択モジュール１１４、アプリケーションマネージャ２３２、あるいはそれらの組合せが複数の装置上に配置され、室内制御装置６１５がディスプレイコントローラ６３５、６３９を介してディスプレイ装置６４０、６４５を制御するようになっていてもよい。
【００３４】
ある実施形態では、室内制御モジュール６１５が、さまざまなユーザ入力装置１０２、１０３からの命令を受信するように構成されていてもよい。さまざまなユーザ入力装置１０２、１０３としては、リモートユーザのコンピュータ６６０、講演者のタブレット６６５、ＰＤＡ６７０、リモートコントローラ６７５などが含まれるがこれらに限定されるものではない。そのような実施形態においては、室内制御モジュール６１５が、１つまたは複数のユーザ装置６６０〜６７５を、ディスプレイコントローラ６３５、６３９を介してディスプレイ装置６４０、６４５へ接続するコンジット（ｃｏｍｄｕｉｔ）であってもよい。ある実施形態では、室内制御モジュール６１５を、ディスプレイコントローラ６３５、６３９のプラグイン装置として実装することができる。ユーザ入力装置６６０〜６７５のそれぞれは室内制御モジュール６１５に物理的に接続されていてもよいし、ネットワークシステムでリモート接続されていてもよい。
【００３５】
図６Ｃは、ある実施形態によるネットワーク接続されたプレゼンテーション管理システム６００の部品及びその接続の例を示している。これらの部品は、たとえば会議室や講演が行われるその他の環境を部分的に構成する、利用可能部品の一部分である。この一部分の部品としては、当業者がわかるような、ここに示されていないその他のタイプの部品が含まれることもある。これらの論理部品は、室内装置を制御し、認証し、構成し、講演者や聴講者などの人間がこれらのコントローラにアクセスすることを可能とする、アプリケーションを動作させることも行う。
【００３６】
システムのすべてのソフトウェア及びハードウェア部品は同一のコンピュータ上で動作するが、部品は一般的にはいくつかのマシンの間に分散していて、あるものは同じ場所にあり、他のものは隔離している。実施形態によるソフトウェアモジュールはこのように分散システム上で動作するように構成されている。従って、論理部品及び業務の実装の仕方は自由である。
【００３７】
部品間の通信はウェブ業務コールで仲介される。ただしリモートプロシージャコール（ＲＰＣ）や他の特注プロトコルなどのその他の通信手段もまた利用することができる。ハードウェア部品は、ビデオグラフィックアレイ（ＶＧＡ）、ユニバーサルシリアルバス（ＵＳＢ）、及びイーサネット（登録商標）などのさまざまな方法を利用して相互に接続することができる。図６Ｃの例では、ＶＧＡ接続が実線で表されている。ＵＳＢ接続は小さい破線で示されている。イーサネット（登録商標）接続は大きい破線で示されている。図６Ｃに示されたシステム接続の種類及び組合せは説明のためのものであり、図に示されたものに限定されるものではない。図６Ｃに示されていない他のタイプの接続を使用することも可能である。
【００３８】
図６Ｃはシステムのハードウェアの一実施形態６００を示すもので、室内制御パーソナルコンピュータ（ＰＣ）６１５及び２つのコントローラであるディスプレイＰＣ１  ６２０、ディスプレイＰＣ２  ６２５を含んでいる。ある実施形態では、室内制御ＰＣ６１５が、プレゼンテーション、部屋、構成および装置用のオブジェクトのデータベースを管理し、プレゼンテーションデータおよびプレゼンテーションのための装置構成も含む。室内制御ＰＣ６１５は、講演者が準備したスライドなどのプレゼンテーションコンテンツを格納することもできる。また、室内制御ＰＣ６１５は、すでに提示済みのスライドのそれぞれのサムネイル画像や、提示済みスライドの表示リストなどのようなプレゼンテーションコンテンツの表示画像を格納することもできる。あるいはその代わりに、プレゼンテーションコンテンツ及びプレゼンテーションコンテンツの表示画像が、講演者が持ち込んだゲストラップトップ６５５、あるいはディスプレイＰＣ６２０、６２５のいずれか１つに格納され、室内制御ＰＣ６１５かラップトップ６５５を利用してアクセスされてもよい。
【００３９】
ディスプレイＰＣ６２０および６２５はプレゼンテーションコンテンツおよび／またはプレゼンテーションコンテンツの表示画像をディスプレイボード６３０、６３５上に投影してもよい。プレゼンテーション資料は対応するオーバヘッドプロジェクト、プロジェクタ１  ６４０及びプロジェクタ２  ６４５を介してディスプレイ６３０、６３５上に投影される。プレゼンテーションコンテンツおよびプレゼンテーションコンテンツの表示画像は、既に述べたように、別々のディスプレイボード６３０、６３５上に表示されてもよいし、１つのディスプレイスクリーン（表示せず）上に表示されてもよい。室内制御ＰＣ６１５は、マシン上で実行される業務を介してプロジェクタ６４０および６４５を制御できる。あるいは、ディスプレイＰＣ６２０と６２５がプロジェクタ６４０と６４５を個別に制御することができる。室内制御ＰＣ６１５がビデオスイッチ６５０を制御し、これが次に、室内のＶＧＡケーブルに接続できるゲストラップトップ６５５を含めてディスプレイへの経路を制御する。ビデオスイッチはいくつかの異なるビデオソースの中から選択する場合に使用される。室内制御ＰＣ６１５はまた、室内の照明、音響及び空調などのその他の機能の制御も行うことができる。
【００４０】
システムハードウェア６００は、ゲストラップトップ６５５、講演者のタブレット６６５や室内制御ＰＣ６１５を含むシステム６００中の任意の数の装置、ただしこれに限定されるものではないが、を介して、講演者により制御されることが可能である。ある実施形態において、室内制御ＰＣ６１５やゲストラップトップ６５５を介して、講演者は選択モジュール１１４を起動することができる。ある実施形態において、前述したように例えば、リモートコンピュータ６６０、リモートコントローラ６７５、パーソナルデジタルアシスタント（ＰＤＡ）などの入力装置１０３を使って、聴講者がプレゼンテーションのコンテンツ１３２を再表示するための選択をすることが可能である。ある実施形態においては、入力装置１０２、１０３は通信ネットワーク６１０を介して室内制御ＰＣ６１５にリモート接続されてもよい。同様に、聴講者はそれらの装置６６０〜６７５を介してプレゼンテーションコンテンツを閲覧し、かつプレゼンテーションコンテンツの表示画像にアクセスできる。聴講者は、会議室や会議場などの一か所にいることも可能であるし、あるいは講演者からは遠隔の場所で、通信ネットワーク６１０で接続されていることもできる。ビデオ会議装置６９５は、そのマシン上で実行される業務を介して室内制御ＰＣ６１５によって制御される。ビデオスイッチ６５０は、入力されるプレゼンテーションをそのまま反映した出力を有する。
【００４１】
ある１つの会議には少なくとも１人の講演者が関係し、それぞれの講演者はシステムの構成に係わる。例えばプレゼンテーションの準備において、それぞれの講演者は、装置、アプリケーション、好みの使用方法などの選択により、また表示するプレゼンテーションコンテンツを特定することにより、プレゼンテーション用の構成を設定する。
【００４２】
図７はある実施形態によるコンピュータシステム７００のブロック図である。システム７００はクライアントシステムすなわちサーバシステムの一部であり、他の一般的な部品が含まれていてもよいが、簡単のために表示されていない。更に、システム７００の１つまたは複数の部品は１つのコンピュータからでも、あるいは複数のコンピュータ装置からでもアクセスし、実行することができる。システム７００は一般に、１つまたは複数の処理ユニット（ＣＰＵ）７０２、１つまたは複数のネットワークないしはその他の通信インタフェース７２０、メモリ７０４、およびこれらの部品を相互接続するための１つまたは複数の通信バス７１８を含んでいる。通信バス７１８はシステム部品間を相互接続し通信を制御する回路（チップセットとも呼ばれることがある）を含んでもよい。システム７００は、例えばディスプレイ７２４、入力装置７２６、出力装置７２８などのユーザインタフェース７２２を所望により含んでいてもよい。入力装置７２６は、例えばキーボード、マウス、タッチパッドディスプレイスクリーン、あるいはその他の、ユーザがシステム７００に情報を入力するための任意の適当な装置を含むことができる。出力装置７２８は、例えばビデオディスプレイユニット、プリンタ、あるいはその他の、出力データをユーザに提供できる任意の適当な装置を含むことができる。入力装置７２６と出力装置７２８は同一の装置で交互に入力／出力装置となるものであってもよい。メモリ７０４は高速ランダムアクセスメモリを含んでよいし、また１つまたは複数の磁気ディスク記憶装置のような不揮発性メモリを含んでもよい。メモリ７０４は中央処理ユニット７０２からは離れた場所にある大容量記憶装置を含んでもよい。メモリ７０４、あるいはそれに代わるメモリ７０４中の不揮発メモリ装置は、コンピュータ可読記憶媒体から構成される。メモリ７０４は以下の要素、あるいはそれらの要素の一部分を格納する。また、以下の追加の要素；
さまざまな基本システム業務を処理し、ハードウェアに依存するタスクを実行するための手順を含むオペレーティングシステム７０６と、
インターネット、その他の広域ネットワーク、ローカルエリアネットワーク、メトロポリタンエリアネットワークなどの、１つまたは複数の通信ネットワーク（有線あるいは無線の）を介して、コンピュータシステム７００を、他のサーバやコンピュータに接続するために使用される通信モジュール７０８と、
プレゼンテーションモジュール７３４、及び前述のように講演者が聴講者に特定のプレゼンテーションコンテンツを再表示のために選択することを可能とさせる選択モジュール７３６を含むソフトウェアモジュール７３２と、
講演者がプレゼンテーションで使うために選択し構成した複数のスライド７５０を含んでもよいプレゼンテーションコンテンツ７４４、及び図１Ａおよび図１Ｂの表示リスト１２２及びサムネイル１２６を含んでもよい疑似コンテンツ７４２を表すコンテンツを含むデータを格納するためのデータ部品７３８と、
を更に含んでもよい。前述したように、それぞれのスライドが提示される度に、そのスライドの表示画像が、例えばサムネイルとかディスプレイリストの形でデータ部品７３８の中に格納される。
【００４３】
図８はある実施形態による、聴講者がプレゼンテーション資料から選択することを可能とする方法８００を示すフロー図である。方法８００の実装により、講演者がプレゼンテーション中に提示したコンテンツに聴講者がアクセスできるようになる。ある実施形態において方法８００は、聴講者に資料を提示するステップ（８１０）と、その後に、既に提示されたプレゼンテーション資料の表示画像を聴講者に表示するステップ（８２０）とを含む。そうして、聴講者は表示された表示画像から、既に提示済みのプレゼンテーション資料の任意のものを選択することが可能となる（８３０）。聴講者の選択（８３０）に応答して、既に提示済みで、選択されたプレゼンテーション資料の特定の１つが再表示される（８４０）。
【００４４】
以上の記述においては、説明の目的で、特定の実施形態を参照して記述した。しかし、上記の実例による議論は網羅的であることは意図されておらず、また本発明を開示した形態そのものに限定する意図もない。上記の教示に鑑みて、多くの修正及び変形が可能である。実施形態は本発明の原理および実際の適用を最もよく説明するように選ばれて記述された。これにより本発明、及び考えられる特定の利用に対する好適なさまざまな修正を有する種々の実施形態を、当業者が最適に利用することが可能となる。
【符号の説明】
【００４５】
１００  プレゼンテーション管理システム
１０２  ユーザ入力装置
１０３  ユーザ入力装置
１０６  プレゼンテーションアプリケーション
１１２  プレゼンテーションモジュール
１１４  選択モジュール
１１５  ソフトウェアモジュール
１１６  講演者命令
１１７  聴講者命令
１１８  ディスプレイ
１２０  ディスプレイ
１２２  表示リスト
１２４  制御命令
１２６  サムネイル
１２８  選択命令
１３０  コンテンツ
１３２  コンテンツ
１３４  疑似コンテンツ
１６１−１  項目
１６１−２  項目
１６１−ｎ  項目
１７１−１  識別子
１７１−２  識別子
１７１−ｎ  識別子
１８１−１  疑似コンテンツ項目
１８１−２  疑似コンテンツ項目
１８１−ｎ  疑似コンテンツ項目
２００  プレゼンテーション管理システム
２２４  制御命令
２３２  アプリケーションマネージャ
２４４  制御命令
２５２  制御命令
３０４  表示ウィンドウ
３０６  表示ウィンドウ
３０８  サムネイル画像スライド
３１４  サムネイル
３１６  サムネイル
３３４  矢印
３３６  メモリ
３４２  プレゼンテーションコンテンツ
３４４  スライド１
３４６  スライド２
３４８  スライド３
３５０  スライド４
３５２  スライド６
３５４  スライド５
３５６  スライド８
３５８  スライド９
３６０  スライド１０
４０２  ディスプレイ
４０６  スライド
４１０  サムネイル
４１６  サムネイル
５０８  サムネイルスライド
５２０  携帯型ハンドヘルド装置
５２２  ディスプレイ
６００  ネットワーク接続されたプレゼンテーション管理システム
６１０  通信ネットワーク
６１５  室内コントローラ
６２０  ディスプレイＰＣ１
６２５  ディスプレイＰＣ２
６３０  ディスプレイボード
６３５  ディスプレイボード
６３７  入力装置
６３９  ディスプレイコントローラ
６４０  ディスプレイ装置
６４５  ディスプレイ装置
６５０  ビデオスイッチ
６５５  ゲストラップトップ
６６０  リモートユーザ装置
６６５  講演者タブレット
６７０  ＰＤＡ
６７５  リモートコントローラ
６９５  ビデオ会議装置
７００  コンピュータシステム
７０２  中央処理ユニット
７０４  メモリ
７０６  オペレーティングシステム
７０８  通信モジュール
７１８  通信バス
７２０  ネットワークインタフェース
７２２  ユーザインタフェース
７２４  ディスプレイ
７２６  入力装置
７２８  出力装置
７３２  ソフトウェアモジュール
７３４  プレゼンテーションモジュール
７３６  選択モジュール
７３８  データ部品
７４２  疑似コンテンツデータ
７４４  プレゼンテーションコンテンツ
７５０  スライド
８００  方法
【図１Ａ】
2011018312.tif 000003
【図１Ｂ】
2011018312.tif 000004
【図１Ｃ】
2011018312.tif 000005
【図２】
2011018312.tif 000006
【図３】
2011018312.tif 000007
【図４】
2011018312.tif 000008
【図５】
2011018312.tif 000009
【図６Ａ】
2011018312.tif 000010
【図６Ｂ】
2011018312.tif 000011
【図６Ｃ】
2011018312.tif 000012
【図７】
2011018312.tif 000013
【図８】
2011018312.tif 000014